(57)【要約】  容易に移動させることができるエレベーターのおもりブロックを提供する。エレベーターのおもりブロックは、エレベーターのおもり枠に形成された一対の溝にそれぞれ案内される両端部を備え、吊りロープが貫通する穴部を備えた本体部、を備えた。当該構成によれば、本体部は、穴部を備える。吊りロープは、おもりブロックの本体部の穴部に貫通した状態で本体部を吊り上げる。このため、おもりブロックを容易に移動させることができる。
2020031286.tif 000002
【特許請求の範囲】
【請求項１】
エレベーターのおもり枠に形成された一対の溝にそれぞれ案内される両端部を備え、吊りロープが貫通する穴部を備えた本体部、
を備えたエレベーターのおもりブロック。
【請求項２】
前記穴部は、前記本体部の中心部よりも一端部の側に寄って配置された請求項１に記載のエレベーターのおもりブロック。
【請求項３】
前記穴部は、前記本体部の上面の手前側および奥側の一方から前記本体部の下面の手前側および奥側の他方に向けて形成された請求項２に記載のエレベーターのおもりブロック。
【請求項４】
エレベーターのおもりブロックの本体部に形成された穴部に吊りロープを貫通させて前記おもりブロックを吊り上げるおもりブロック吊り上げ工程と、
前記おもりブロック吊り上げ工程の後、前記エレベーターのおもり枠に形成された一対の溝に前記おもりブロックの両端部をそれぞれ案内させるおもりブロック案内工程と、
を備えたエレベーターのおもりブロックの移動方法。
【請求項５】
前記おもりブロック吊り上げ工程は、前記おもりブロックの本体部の中心部よりも一端部の側に寄って配置された穴部に吊りロープを貫通させて前記おもりブロックを吊り上げる工程を含んだ請求項４に記載のエレベーターのおもりブロックの移動方法。
【請求項６】
前記おもりブロック吊り上げ工程は、前記おもりブロックの本体部の上面の手前側および奥側の一方から前記本体部の下面の手前側および奥側の他方に向けて形成された穴部に吊りロープを貫通させて前記おもりブロックを吊り上げる工程を含んだ請求項５に記載のエレベーターのおもりブロックの移動方法。
【請求項７】
複数のおもりブロックに対して前記おもりブロック吊り上げ工程と前記おもりブロック案内工程とを繰り返すことで前記おもり枠において前記複数のおもりブロックを鉛直方向に積み重ねる際に、前記複数のおもりブロックの穴部を前記おもり枠の一側に寄った位置と他側に寄った位置とに交互に配置させるおもりブロック積み重ね工程、
を備えた請求項５または請求項６に記載のエレベーターのおもりブロックの移動方法。
【請求項８】
前記おもりブロック吊り上げ工程は、前記おもりブロックの本体部の手前側および奥側の一方に設けられた突出部に形成された穴部に吊りロープを貫通させて前記おもりブロックを吊り上げる工程を含んだ請求項７に記載のエレベーターのおもりブロックの移動方法。
【請求項９】
複数のおもりブロックに対して前記おもりブロック吊り上げ工程と前記おもりブロック案内工程とを繰り返すことで前記おもり枠において前記複数のおもりブロックを鉛直方向に積み重ねる際に、前記複数のおもりブロックの突出部を前記おもり枠の手前側と奥側とに交互に配置させるおもりブロック積み重ね工程、
を備えた請求項８に記載のエレベーターのおもりブロックの移動方法。
【発明の詳細な説明】
【技術分野】
【０００１】
この発明は、エレベーターのおもりブロックおよびその移動方法に関する。
【背景技術】
【０００２】
特許文献１は、エレベーターのおもりブロックの積み込み方法を開示する。当該積み込み方法によれば、おもりブロックを移動させることができる。
【先行技術文献】
【特許文献】
【０００３】
【特許文献１】日本特開２０００−３４４４４５号公報
【発明の概要】
【発明が解決しようとする課題】
【０００４】
しかしながら、特許文献１に記載の積み込み方法においては、おもりブロックを移動させるために、複雑な構成の積み込み装置が必要となる。このため、煩雑な作業が必要となる。【０００５】
この発明は、上述の課題を解決するためになされた。この発明の目的は、容易に移動させることができるエレベーターのおもりブロックおよびその移動方法を提供することである。
【課題を解決するための手段】
【０００６】
この発明に係るエレベーターのおもりブロックは、エレベーターのおもり枠に形成された一対の溝にそれぞれ案内される両端部を備え、吊りロープが貫通する穴部を備えた本体部、を備えた。【０００７】
この発明に係るエレベーターのおもりブロックの移動方法は、エレベーターのおもりブロックの本体部に形成された穴部に吊りロープを貫通させて前記おもりブロックを吊り上げるおもりブロック吊り上げ工程と、前記おもりブロック吊り上げ工程の後、前記エレベーターのおもり枠に形成された一対の溝に前記おもりブロックの両端部をそれぞれ案内させるおもりブロック案内工程と、を備えた。
【発明の効果】
【０００８】
これらの発明によれば、吊りロープは、おもりブロックの本体部に形成された穴部に貫通した状態で本体部を吊り上げる。このため、おもりブロックを容易に移動させることができる。
【図面の簡単な説明】
【０００９】
【図１】実施の形態１におけるエレベーターのおもりブロックが適用されるエレベーターシステムの構成図である。
【図２】実施の形態１におけるエレベーターのおもりブロックが適用される釣合いおもりの正面図である。
【図３】実施の形態１におけるエレベーターのおもりブロックの斜視図である。
【図４】実施の形態１におけるエレベーターのおもりブロックの正面図である。
【図５】実施の形態１におけるエレベーターのおもりブロックの平面図である。
【図６】実施の形態１におけるエレベーターのおもりブロックの側面図である。
【図７】実施の形態１におけるエレベーターの複数のおもりブロックの積み重ね方法を説明するための図である。
【図８】実施の形態２におけるエレベーターのおもりブロックを吊り上げる状態を示す側面図である。
【発明を実施するための形態】
【００１０】
この発明を実施するための形態について添付の図面に従って説明する。なお、各図中、同一または相当する部分には同一の符号が付される。当該部分の重複説明は適宜に簡略化ないし省略する。
【００１１】
実施の形態１．
図１は実施の形態１におけるエレベーターのおもりブロックが適用されるエレベーターシステムの構成図である。
【００１２】
図１のエレベーターシステムにおいて、昇降路１は、建築物の各階を貫く。複数の乗場２は、建築物の各階に設けられる。複数の乗場２の各々は、昇降路１に対向する。複数の乗場２の各々は、乗場扉３を備える。
【００１３】
巻上機４は、昇降路１の上部に設けられる。巻上機４は、綱車５を備える。そらせ車６は、昇降路１の上部に設けられる。
【００１４】
一対のかごガイドレール７は、昇降路１に設けられる。一対のかごガイドレール７の各々は、鉛直方向に延びる。一対のかごガイドレール７は、互いに平行である。一対のかごガイドレール７は、互いに対向する。
【００１５】
一対のおもりガイドレール８は、昇降路１に設けられる。一対のおもりガイドレール８の各々は、鉛直方向に延びる。一対のおもりガイドレール８は、互いに平行である。一対のおもりガイドレール８は、互いに対向する。
【００１６】
主ロープ９は、綱車５とそらせ車６とに巻き掛けられる。
【００１７】
かご１０は、主ロープ９の一側に支持される。かご１０は、昇降路１の内部において一対のかごガイドレール７に沿って昇降し得るように設けられる。かご１０は、かご扉１１を備える。
【００１８】
釣合いおもり１２は、主ロープ９の他側に支持される。釣合いおもり１２は、昇降路１の内部において一対のおもりガイドレール８に沿って昇降し得るように設けられる。釣合いおもり１２は、おもり枠１３と複数のおもりブロック１４とを備える。
【００１９】
かごバッファー１５は、昇降路１の底部に設けられる。かごバッファー１５は、かご１０の下方に設けられる。
【００２０】
おもりバッファー１６は、昇降路１の底部に設けられる。おもりバッファー１６は、釣合おもりの下方に設けられる。
【００２１】
次に、図２を用いて、おもりブロック１４の移動方法を説明する。
図２は実施の形態１におけるエレベーターのおもりブロックが適用される釣合いおもりの正面図である。
【００２２】
図２に示されるように、吊りロープ１７は、おもりブロック１４の本体部１４ａの中心部よりも一端部の側に寄って形成された穴部１４ｂに貫通した状態で本体部１４ａを吊り上げる。その結果、おもりブロック１４は、一端部の側がより上方となるように安定して斜めに吊り上げられる。この状態において、おもりブロック１４は、本体部１４ａの両端部がおもり枠１３に形成された図示されない一対の溝にそれぞれ案内された状態でおもり枠１３に取り付けられる。
【００２３】
これらの手順が、複数のおもりブロック１４の各々に対して順々に繰り返される。複数のおもりブロック１４は、鉛直方向に積み重ねられる。
【００２４】
次に、図３から図６を用いて、おもりブロック１４を説明する。
図３は実施の形態１におけるエレベーターのおもりブロックの斜視図である。図４は実施の形態１におけるエレベーターのおもりブロックの正面図である。図５は実施の形態１におけるエレベーターのおもりブロックの平面図である。図６は実施の形態１におけるエレベーターのおもりブロックの側面図である。
【００２５】
図３から図６に示されるように、おもりブロック１４において、穴部１４ｂは、本体部１４ａの上面の手前側および奥側の一方から本体部１４ａの下面の手前側および奥側の他方に向けて形成される。その結果、図３から図６においては図示されない吊りロープ１７により、おもりブロック１４は、本体部１４ａの奥行き方向に対しても安定して斜めに吊り上げられる。
【００２６】
なお、おもりブロック１４の一端部の側において、本体部１４ａの奥行き方向の中心に沿って斜めになるように穴部１４ｂを形成してもよい。例えば、本体部１４ａの上面の側から本体部１４ａの下面の側に行くにつれて、本体部１４ａの一端部の側に寄るように穴部１４ｂを形成してもよい。例えば、本体部１４ａの上面の側から本体部１４ａの下面の側に行くにつれて本体部１４ａの一端部の側とは反対側に寄るように穴部１４ｂを形成してもよい。
【００２７】
また、おもりブロック１４の一端部の側において、本体部１４ａの奥行き方向および幅方向に対して斜めになるように穴部１４ｂを形成してもよい。例えば、本体部１４ａの上面の側から本体部１４ａの下面の側に行くにつれて、本体部１４ａの手前側から本体部１４ａの奥側に寄りつつ本体部１４ａの一端部の側に寄るように穴部１４ｂを形成してもよい。例えば、本体部１４ａの上面の側から本体部１４ａの下面の側に行くにつれて、本体部１４ａの奥側から本体部１４ａの手前側に寄りつつ本体部１４ａの一端部の側とは反対側に寄るように穴部１４ｂを形成してもよい。例えば、本体部１４ａの上面の側から本体部１４ａの下面の側に行くにつれて、本体部１４ａの奥側から本体部１４ａの手前に寄りつつ本体部１４ａの一端部の側に寄るように穴部１４ｂを形成してもよい。例えば、本体部１４ａの上面の側から本体部１４ａの下面の側に行くにつれて、本体部１４ａの手前側から本体部１４ａの奥側に寄りつつ本体部１４ａの一端部の側とは反対側に寄るように穴部１４ｂを形成してもよい。
【００２８】
次に、図７を用いて、複数のおもりブロック１４の積み重ね方法を説明する。
図７は実施の形態１におけるエレベーターの複数のおもりブロックの積み重ね方法を説明するための図である。
【００２９】
図７に示されるように、複数のおもりブロック１４が積み重ねられる際、複数のおもりブロック１４の穴部１４ｂは、おもり枠１３の一側に寄った位置と他側に寄った位置とに交互に配置される。
【００３０】
以上で説明した実施の形態１によれば、吊りロープ１７は、おもりブロック１４の本体部１４ａの形成された穴部１４ｂに貫通した状態で本体部１４ａを吊り上げる。このため、おもりブロック１４を容易に移動させることができる。
【００３１】
また、穴部１４ｂは、本体部１４ａの中心部よりも一端部の側に寄って配置される。このため、おもりブロック１４を安定して移動させることができる。
【００３２】
また、穴部１４ｂは、本体部１４ａの上面の手前側および奥側の一方から本体部１４ａの下面の手前側および奥側の他方に向けて形成される。このため、おもりブロック１４をより安定して移動させることができる。
【００３３】
また、複数のおもりブロック１４の穴部１４ｂは、おもり枠１３の一側に寄った位置と他側に寄った位置とに交互に配置される。このため、釣合いおもり１２の幅方向の重さの偏りを抑制することができる。
【００３４】
実施の形態２．
図８は実施の形態２におけるエレベーターのおもりブロックを吊り上げる状態を示す側面図である。なお、実施の形態１の部分と同一又は相当部分には同一符号が付される。当該部分の説明は省略される。
【００３５】
実施の形態２のおもりブロック１４は、突出部１４ｃを備える。突出部１４ｃは、本体の手前側および奥側の一方の側面に一体に設けられる。穴部１４ｂは、突出部１４ｃを鉛直方向に貫通するように形成される。
【００３６】
吊りロープ１７は、おもりブロック１４の穴部１４ｂを貫通した状態で本体に掛け回される。この状態において、吊りロープ１７は、おもりブロック１４を吊り上げる。
【００３７】
以上で説明した実施の形態２によれば、吊りロープ１７は、おもりブロック１４の本体部１４ａの手前側および奥側の一方に設けられた突出部１４ｃの穴部１４ｂに貫通した状態でおもりブロック１４を吊り上げる。この場合も、おもりブロック１４を容易に移動させることができる。
【００３８】
なお、複数のおもりブロック１４を積み重ねる際、前記複数のおもりブロック１４の突出部１４ｃをおもり枠１３の手前側と奥側とに交互に配置させればよい。この場合、釣合いおもり１２の奥行きの重さの偏りを抑制することができる。
【００３９】
また、実施の形態１または実施の形態２の複数のおもりブロック１４は、おもり枠１３から取り外す場合も同様に吊り上げられる。このため、おもりブロック１４をおもり枠１３に容易に取り外すことができる。
【産業上の利用可能性】
【００４０】
以上のように、この発明に係るエレベーターのおもりブロックおよびその移動方法は、エレベーターシステムに利用できる。
【符号の説明】
【００４１】
１  昇降路、  ２  乗場、  ３  乗場扉、  ４  巻上機、  ５  綱車、  ６  そらせ車、  ７  かごガイドレール、  ８  おもりガイドレール、  ９  主ロープ、  １０  かご、  １１  かご扉、  １２  釣合いおもり、  １３  おもり枠、  １４  おもりブロック、  １４ａ  本体部、  １４ｂ  穴部、  １４ｃ  突出部、  １５  かごバッファー、  １６  おもりバッファー、  １７  吊りロープ
【図１】
2020031286.tif 000003
【図２】
2020031286.tif 000004
【図３】
2020031286.tif 000005
【図４】
2020031286.tif 000006
【図５】
2020031286.tif 000007
【図６】
2020031286.tif 000008
【図７】
2020031286.tif 000009
【図８】
2020031286.tif 000010
【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
エレベーターのおもり枠に形成された一対の溝にそれぞれ案内される両端部と、
吊りロープが貫通する穴部を備えた本体部、
を備え、
前記穴部は、前記本体部の中心部よりも一端部の側に寄って配置され、前記本体部の上面の手前側および奥側の一方から前記本体部の下面の手前側および奥側の他方に向けて形成されたエレベーターのおもりブロック。
【請求項２】
エレベーターのおもりブロックの本体部に形成された穴部に吊りロープを貫通させて前記おもりブロックを吊り上げるおもりブロック吊り上げ工程と、
前記おもりブロック吊り上げ工程の後、前記エレベーターのおもり枠に形成された一対の溝に前記おもりブロックの両端部をそれぞれ案内させるおもりブロック案内工程と、
を備え、
前記おもりブロック吊り上げ工程は、前記本体部の中心部よりも一端部の側に寄って配置されて前記おもりブロックの本体部の上面の手前側および奥側の一方から前記本体部の下面の手前側および奥側の他方に向けて形成された穴部に吊りロープを貫通させて前記おもりブロックを吊り上げる工程を含んだエレベーターのおもりブロックの移動方法。
【請求項３】
複数のおもりブロックに対して前記おもりブロック吊り上げ工程と前記おもりブロック案内工程とを繰り返すことで前記おもり枠において前記複数のおもりブロックを鉛直方向に積み重ねる際に、前記複数のおもりブロックの穴部を前記おもり枠の一側に寄った位置と他側に寄った位置とに交互に配置させるおもりブロック積み重ね工程、
を備えた請求項２に記載のエレベーターのおもりブロックの移動方法。
【請求項４】
前記おもりブロック吊り上げ工程は、前記おもりブロックの本体部の手前側および奥側の一方に設けられた突出部に形成された穴部に吊りロープを貫通させて前記おもりブロックを吊り上げる工程を含んだ請求項３に記載のエレベーターのおもりブロックの移動方法。
【請求項５】
複数のおもりブロックに対して前記おもりブロック吊り上げ工程と前記おもりブロック案内工程とを繰り返すことで前記おもり枠において前記複数のおもりブロックを鉛直方向に積み重ねる際に、前記複数のおもりブロックの突出部を前記おもり枠の手前側と奥側とに交互に配置させるおもりブロック積み重ね工程、
を備えた請求項４に記載のエレベーターのおもりブロックの移動方法。
【手続補正２】
【補正対象書類名】明細書
【補正対象項目名】０００６
【補正方法】変更
【補正の内容】
【０００６】
この発明に係るエレベーターのおもりブロックは、エレベーターのおもり枠に形成された一対の溝にそれぞれ案内される両端部と、吊りロープが貫通する穴部を備えた本体部と、を備え、前記穴部は、前記本体部の中心部よりも一端部の側に寄って配置され、前記本体部の上面の手前側および奥側の一方から前記本体部の下面の手前側および奥側の他方に向けて形成された。
【手続補正３】
【補正対象書類名】明細書
【補正対象項目名】０００７
【補正方法】変更
【補正の内容】
【０００７】
この発明に係るエレベーターのおもりブロックの移動方法は、エレベーターのおもりブロックの本体部に形成された穴部に吊りロープを貫通させて前記おもりブロックを吊り上げるおもりブロック吊り上げ工程と、前記おもりブロック吊り上げ工程の後、前記エレベーターのおもり枠に形成された一対の溝に前記おもりブロックの両端部をそれぞれ案内させるおもりブロック案内工程と、を備え、前記おもりブロック吊り上げ工程は、前記本体部の中心部よりも一端部の側に寄って配置されて前記おもりブロックの本体部の上面の手前側および奥側の一方から前記本体部の下面の手前側および奥側の他方に向けて形成された穴部に吊りロープを貫通させて前記おもりブロックを吊り上げる工程を含んだ。
【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
エレベーターのおもり枠に形成された一対の溝にそれぞれ案内される両端部と、
吊りロープが貫通する穴部を備えた本体部、
を備え、
前記穴部は、前記本体部の中心部よりも一端部の側に寄って配置され、前記本体部の上面の手前側および奥側の一方から前記本体部の下面の手前側および奥側の他方に向けて斜めに形成され、
前記吊りロープにより前記本体部が吊り上げられた場合に、前記両端部は、前記おもり枠に形成された一対の溝に案内された状態となるエレベーターのおもりブロック。
【請求項２】
エレベーターのおもりブロックの本体部に形成された穴部に吊りロープを貫通させて前記おもりブロックを吊り上げるおもりブロック吊り上げ工程と、
前記おもりブロック吊り上げ工程の後、前記エレベーターのおもり枠に形成された一対の溝に前記おもりブロックの両端部をそれぞれ案内させるおもりブロック案内工程と、
を備え、
前記おもりブロック吊り上げ工程は、前記本体部の中心部よりも一端部の側に寄って配置されて前記おもりブロックの本体部の上面の手前側および奥側の一方から前記本体部の下面の手前側および奥側の他方に向けて斜めに形成された穴部に吊りロープを貫通させて前記おもりブロックを吊り上げる工程を含み、
前記吊りロープにより前記本体部が吊り上げられた場合に、前記両端部は、前記おもり枠に形成された一対の溝に案内された状態となるエレベーターのおもりブロックの移動方法。
【請求項３】
複数のおもりブロックに対して前記おもりブロック吊り上げ工程と前記おもりブロック案内工程とを繰り返すことで前記おもり枠において前記複数のおもりブロックを鉛直方向に積み重ねる際に、前記複数のおもりブロックの穴部を前記おもり枠の一側に寄った位置と他側に寄った位置とに交互に配置させるおもりブロック積み重ね工程、
を備えた請求項２に記載のエレベーターのおもりブロックの移動方法。
【請求項４】
前記おもりブロック吊り上げ工程は、前記おもりブロックの本体部の手前側および奥側の一方に設けられた突出部に形成された穴部に吊りロープを貫通させて前記おもりブロックを吊り上げる工程を含んだ請求項３に記載のエレベーターのおもりブロックの移動方法。
【請求項５】
複数のおもりブロックに対して前記おもりブロック吊り上げ工程と前記おもりブロック案内工程とを繰り返すことで前記おもり枠において前記複数のおもりブロックを鉛直方向に積み重ねる際に、前記複数のおもりブロックの突出部を前記おもり枠の手前側と奥側とに交互に配置させるおもりブロック積み重ね工程、
を備えた請求項４に記載のエレベーターのおもりブロックの移動方法。
【手続補正２】
【補正対象書類名】明細書
【補正対象項目名】０００６
【補正方法】変更
【補正の内容】
【０００６】
この発明に係るエレベーターのおもりブロックは、エレベーターのおもり枠に形成された一対の溝にそれぞれ案内される両端部と、吊りロープが貫通する穴部を備えた本体部と、を備え、前記穴部は、前記本体部の中心部よりも一端部の側に寄って配置され、前記本体部の上面の手前側および奥側の一方から前記本体部の下面の手前側および奥側の他方に向けて斜めに形成され、前記吊りロープにより前記本体部が吊り上げられた場合に、前記両端部は、前記おもり枠に形成された一対の溝に案内された状態となる。
【手続補正３】
【補正対象書類名】明細書
【補正対象項目名】０００７
【補正方法】変更
【補正の内容】
【０００７】
この発明に係るエレベーターのおもりブロックの移動方法は、エレベーターのおもりブロックの本体部に形成された穴部に吊りロープを貫通させて前記おもりブロックを吊り上げるおもりブロック吊り上げ工程と、前記おもりブロック吊り上げ工程の後、前記エレベーターのおもり枠に形成された一対の溝に前記おもりブロックの両端部をそれぞれ案内させるおもりブロック案内工程と、を備え、前記おもりブロック吊り上げ工程は、前記本体部の中心部よりも一端部の側に寄って配置されて前記おもりブロックの本体部の上面の手前側および奥側の一方から前記本体部の下面の手前側および奥側の他方に向けて斜めに形成された穴部に吊りロープを貫通させて前記おもりブロックを吊り上げる工程を含み、前記吊りロープにより前記本体部が吊り上げられた場合に、前記両端部は、前記おもり枠に形成された一対の溝に案内された状態となる。
【国際調査報告】
2020031286.tif 000011
2020031286.tif 000012
2020031286.tif 000013
2020031286.tif 000014